(57)【特許請求の範囲】
【請求項１】
タンクと該タンクの下方に配置されるホッパーとの間に介装された基体部と、
該基体部の内部へ挿入されており、前記タンクに投入されて流下する洗浄液を側方側に導き、前記洗浄液を前記ホッパーに流出させることなく、外部に排出させるように構成された挿着具と、を備えることを特徴とする洗浄液排出具。
【請求項２】
前記基体部は、前記タンクの下方周縁部に固定される上方連結部と、前記ホッパーの上方周縁部に固定される下方連結部と、前記上方連結部と前記下方連結部の間に形成される筒体と、該筒体の側壁から側方に向けて開口する側方開口部と、を備え、
前記挿着具は、前記側方開口部から前記筒体の内部へ挿入されたことを特徴とする請求項１記載の洗浄液排出具。
【請求項３】
前記挿着具は、略直方体状の形態を備え、
前記挿着具の上面には、前記タンク内部に開口する開口部が形成され、
前記挿着具の下面には、前記開口部から前記挿着具内部に流下してきた前記洗浄水を外部へ導くための排出口が設けられていることを特徴とする請求項２記載の洗浄液排出具。
【請求項４】
前記下面は、前記洗浄水を自然流下させて前記排出口へ導くように傾斜形成されたことを特徴とする請求項３記載の洗浄液排出具。
【請求項５】
前記挿着具は、前記タンク内部に開口する開口部が形成された上板部と、
前記上板部に一体化され、前記洗浄水を自然流下させて外部へ排出する構成のホッパー部と、
を少なくとも備えたことを特徴とする請求項２記載の洗浄液排出具。
【請求項６】
前記ホッパー部には、外部から前記洗浄液を視認できる上方開口部が形成されたことを特徴とする請求項５記載の洗浄液排出具。
【請求項７】
タンク洗浄作業を行わない場合には、前記タンクと前記ホッパーを連通し、タンク収容物が落下して通過する通路を備える非洗浄用挿着具が前記筒体の前記側方開口部に挿着されることを特徴とする請求項２から請求項６のいずれかに記載された洗浄液排出具。
【請求項８】
請求項１から７に記載されたタンクが飼料貯蔵用タンクであることを特徴とする洗浄液排出具。
【発明の詳細な説明】
【０００１】
【発明の属する技術分野】
本発明は、タンクから流下する洗浄液が該タンク下方に配置されるホッパーに流入し残留することがないようにするために工夫された洗浄液排出具に関する。
【０００２】
【従来の技術】
家畜用飼料等を収容又は貯蔵するタンクは、定期的に洗浄してサルモネラ菌等の細菌が繁殖しないようにする必要がある。
【０００３】
しかしながら、図１４に示す、タンク１０１に直接ホッパー１０２が取り付けられた構成では、タンク１０１の洗浄作業を行う場合に、タンク１０１を持ち上げたり、該タンク１０１をそのままの位置に固定したりして、該タンク１０１の下方に固定配置されたホッパー１０２を一旦取り外すことが必要であった。
【０００４】
これは、タンク収容物を搬送する配管１０３にも連通するホッパー１０２ーに洗浄液が流入してしまうと、タンク１０１から排出されて所定場所まで搬送されるタンク収容物に洗浄液が付着又は混入してしまう事態が起こり得るので、この事態を回避する必要があるからである。
【０００５】
とりわけ、タンク収容物が家畜用飼料や穀粉等の食品である場合には、タンク収容物に対する洗浄液の付着又は混入は、家畜や人体に悪影響を及ぼすので絶対に回避しなければならない。
【０００６】
【発明が解決しようとする課題】
しかしながら、従来のタンク洗浄技術では、重量のあるタンクをリフトアップしたり、タンクを固定してからホッパーを取り外したりする作業が必要であったため、手間が非常にかかり、頻繁に洗浄作業を行うことが難しかった。
【０００７】
そこで、本発明は、タンクの洗浄作業を簡易に行うことができる洗浄液排出具を提供することを主な目的とする。
【０００８】
【課題を解決するための手段】
上記目的を達成するために、本発明は、以下の手段を採用する。
【０００９】
まず、本発明では、タンクと該タンクの下方に配置されるホッパーとの間に介装された基体部と、該基体部の内部へ挿入されており、前記タンクに投入されて流下する洗浄液を側方側に導いて排出する挿着具と、を備えることによって、前記洗浄液を、前記ホッパーに流出させることなく、外部に排出させる構成の洗浄液排出具を提供する。
【００１０】
より詳細には、前記基体部は、前記タンクの下方周縁部に固定される上方連結部と、前記ホッパーの上方周縁部に固定される下方連結部と、前記上方連結部と前記下方連結部の間に形成される筒体と、該筒体の側壁から側方に向けて開口する側方開口部と、を備え、前記挿着具は、前記側方開口部から前記筒体の内部へ挿入された洗浄液排出具を提供する。
【００１１】
この手段では、タンクと該タンクの下方に配置されてタック収容物を搬送する配管に連通しているホッパーとの間に、予め洗浄液排出具を設けておくことによって、重量のあるタンクをリフトアップしたり、タンクを固定してからホッパーを取り外したりする作業が不要となるので、タンク洗浄作業が大幅に簡易化される。
【００１２】
次に本発明では、前記挿着具に関して、略直方体状の形態を備えるように構成し、該挿着具の上面には、前記タンク内部に開口する開口部を形成し、下面には、前記開口部から挿着部内部に流下してきた前記洗浄水を外部へ導くための排出口を設けるように工夫する。更には、挿着具の下面を、前記洗浄水を自然流下させて前記排出口へ導くことができるように、傾斜させて形成するようにする。
【００１３】
この手段では、タンク内壁面を伝わって流下して、挿着具内部に流入してきた洗浄液を、該挿着具内部に滞留することなく、円滑に外部へ流出させることができる。
【００１４】
ここで、本発明では、前記挿着具に関して、前記タンク内部に開口する開口部を形成した上板部と、該上板部に一体化し、前記洗浄水を自然流下させて外部へ排出する構成のホッパー部と、を少なくとも備えた構成を採用することも可能である。
【００１５】
更には、このホッパー部に、外部から前記洗浄液を視認できる上方開口部を形成することによって、洗浄液の流出状態やタンク内壁面等に付着していた細かな内容物の流出又は滞留状況を目視観察することを可能とすることができる。
【００１６】
本発明に係る洗浄液排出具においては、タンク洗浄作業を行わない場合、前記タンクと前記ホッパーを連通し、タンク収容物が落下して通過する通路が設けられている非洗浄用挿着具を前記筒体の前記側方開口部から挿着する。
【００１７】
この手段によって、タンク洗浄作業を行わない場合は、非洗浄用挿着具を介してタンク収容物の搬送作業を行い、タンク洗浄作業を行う場合は、都度、非洗浄用挿着具から洗浄用の挿着具へ交換し、簡易にタンク洗浄作業を行うことが可能となる。
【００１８】
上記した本発明に係る洗浄液排出具は、とりわけタンクが飼料貯蔵用タンクである場合に有効である。即ち、本発明に係る洗浄液排出具を用いることによって、簡易にタンク洗浄作業を行うことができるので、タンクのサルモネラ菌等の細菌汚染に十全の対策を施すことができ、鶏卵のサルモネラ菌汚染対策等に有効である。
【００１９】
【発明の実施の形態】
本発明の好適な実施例について添付図面を参照して説明する。
【００２０】
まず、図１は、符号１で示される、ＦＲＰ、スチール等用途に合わせて適宜選択できる材料によって形成されるタンクと符号３で示されるホッパーとの間に介装される構成の本発明に係る洗浄液排出具２（図４参照）の基体部２１の周辺を表す外観斜視図である。
【００２１】
タンク１は、例えば、家畜用飼料、穀粉等の食品等を収容又は貯蔵するタンクであって、下方側に向けて徐々にすぼむ形態を備え、鍔状にせり出すように形成された下方周縁部１１には、ボルト螺着孔１２が複数設けられている。
【００２２】
ホッパー３は、上方のタンク１から落下してくるタンク収容物Ｃを受け止めて、該タンク収容物Ｃを搬送用配管４に供給する役割を果たす。このホッパー３は、上方に向けて末広がって開口する形態を備え、鍔状にせり出した上方周縁部３１には、図示しないボルト螺着孔が複数設けられている。なお、ホッパー３の形状は、図示したものに限定されない。
【００２３】
本発明に係る洗浄液排出具２は、基本的には、上記したタンク１とホッパー３との間に介装される部材である。なお、この洗浄液排出具２を、タンク１と一体形成、ホッパー３と一体形成してもよい。
【００２４】
図２は、洗浄液排出具２の基体部２１を、タンク１及びホッパー３から取り外した状態で見た外観斜視図である。
【００２５】
この図２に示すように、基体部２１は、内部空洞に形成されており、上下方向に連通する開口部２１６を備える筒体２１５と、該筒体２１５の略中間位置で前後左右にせり出す略直方体状（又はケース状）の挿着具収容部２１１（以下、単に「収容部２１１」と称する。）と、筒体２１５の上端部で鍔状にせり出す上方連結部２１３と、筒体２１５の下端部で鍔状にせり出す下方連結部２１４と、を備える。
【００２６】
上方連結部２１３と下方連結部２１４には、それぞれ複数のボルト螺着孔２１３ａ、２１４ａが形成され、図示しないボルトによって、上方連結部２１３は、タンク１の下方周縁部１１に、下方連結部２１４は、ホッパー３の上方周縁部３１に、それぞれ固定される。
【００２７】
ここで、収容部２１1の左右端面は、矩形状に開口している。この開口部２１１ａ，２１１ｂは、図示しない適宜の開閉手段（例えば、蓋）によって水密に閉塞される。この収容部２１１は、後述する容器状の挿着具２２，２３，２４，２６，２７を、挿脱可能に収容するという役割を果たす。
【００２８】
図３は、本発明に係る洗浄液排出具２の構成部品である挿着具２２が、収容部２１の側方開口部２１１ａから矢印Ｘ方向に挿脱される様子を表す図である。
【００２９】
挿着具２２は、洗浄液排出時に用いられる容器状の構成部品であって、外観視、略長方形の形態を備えている。この挿着具２２の上面２２１には、基体部２１の筒体２１５の口径とほぼ同じ口径の開口部２２３が設けられ、この開口部２２３の周縁には合成ゴム製の防水パッキンが着設されている。
【００３０】
挿着具２２の下面２２２には、該下面２２２の引き出し方向側端部領域に、洗浄液排出孔２２５が形成されている。この洗浄液排出孔２２５には洗浄液Ｗを外部に導くためのホース５が適宜の手段で取り付けられている。なお、符号２２６は、挿着具２２を挿脱する際に把持される取っ手の一実施形態である。
【００３１】
図４は、本発明に係る洗浄液排出具２の全体構成を表す縦断面図である。
【００３２】
即ち、挿着具収容部２１１内に挿着具２２１が挿着された状態を、縦断面で見た図である。この図４から視認できるように、挿着具２２の上面２２１は水平に形成され、一方、下面２２２は、洗浄液排出孔２２５側に傾斜形成されて、開口部２１６から流入してきた洗浄液Ｗが、洗浄液排出孔２２５側に自然流下し易いように構成されている。なお、下面２２２は、上面２２１同様に水平であってもよいが、洗浄液Ｗを円滑に排出する点で、図４に示すように傾斜させた構成の方が望ましい。
【００３３】
収容部２１１の下面２１１ｄには、下方側からボルト６，６が螺挿されている。このボルト６,６の先端部は、挿着具２２の下面２２２に当接して挿着具２２を上方へ押し上げる。これにより挿着具２２の開口部２２３周縁に着設された防止パッキン２２４が収容部２１１の上板下面２１１ｃに圧接される。この構成により、収容部２１１と挿着具２２の間の水密性が確保される。
【００３４】
図５は、上記挿着具２２の変形例であるホッパー状挿着具２３（以下、単に「「挿着具２３」と称する。」の外観斜視図、図６は、同挿着具２３が（基体部２１の）収容部２１１に挿着された時の縦断面図、である。
【００３５】
この挿着具２３は、円形の開口部２３４を備える上板部２３１と、該上板部２３に一体化されたホッパー部２３２と、を備えている。ホッパー部２３２の下面２３２ａは、なだらかにやや湾曲して排出口２３７側に傾斜し、該排出口２３７へ自然に洗浄液Ｗが集まって流下するように形成されている。なお、排出口２３７には、ホース５が取り付けられている。なお、ホース５の取り付け方法は、確実に固定できる方法であれば、適宜選択可能である。
【００３６】
挿着具２３は、収容部２１１の下面２１１ｄの下方側から上方側へ螺挿されるボルト６'の先端部が、挿着具２３の上板部２３１下面に当接して挿着具２３を上方へ押し上げている。
【００３７】
これにより上板部２３１の開口部２３４周縁に着設された防水パッキン２３５が、収容部２１１の上板下面２１１ｃに圧接され、その結果、収容部２１１と挿着具２３の間の水密性が確保されている。なお、図６に示すボルト７は、図５に仮想線で示す箇所部分２３８、計４箇所に螺挿され、確実に水密性が確保されるように構成されている。
【００３８】
ここで、挿着具２３のホッパー部２３２には、外部にせり出した上方開口部２３６が設けられている。この上方開口部２３６は、洗浄液Ｗの流出状況や洗浄されて流れ落ちて来たタンク収容物Ｃが排出口２３７を塞いで詰まらせてしまわないかどうかを、外部から容易に視認できるようにするために形成されたものである。
【００３９】
次に、図７は、非洗浄用挿着具の第１実施例の外観斜視図、図８は、同第１実施例の縦断面図である。
【００４０】
まず、符号２４で示された非洗浄用挿着具は、タンク１の洗浄作業を行わない場合に基体部２１の収容部２１１内部へ挿着される部材である。この非洗浄用挿着具２４は、外観上、前掲した（洗浄用の）挿着具２２と同様の形状をなしているが、挿着具２２のような排出口２２５を備えていない。なお、非洗浄用挿着具２４は、収容部２１１への挿着性を考慮し、可撓性のある合成樹脂によって形成するのが望ましい。
【００４１】
非洗浄用挿着具２４には、挿着具２４の上面２４１に円形に開口する開口部２４２及び下面２４３に開口する開口部２４４と連通する筒体部２４５が略中央部に形成されている。タンク１から落下してきたタンク収容物Ｃは、図８に示すように筒体部２４５内側領域の通路２４６を通過して、下方のホッパー３へ供給される。なお、符号２４７は、取っ手である。
【００４２】
以上説明したように、本発明に係る洗浄液排出具２の収容部２１１に対しては、洗浄作業を行う場合は、挿着具２２又は２３が挿着され、洗浄作業を行わない場合、即ちタンク収容物Ｃのタンク１からの排出作業を行う場合や作業を一切行わない場合には、非洗浄用挿着具２４が選択されて挿着されることになる。
【００４３】
次に、図９は、本発明に係る洗浄液排出具２に用いられる基体部２１の変形例並びに該変形例の収容部２５１に挿着された非洗浄用挿着具の第１変形例（符号２６）を透視して見た側面図、図１０は、同第１変形例の斜視図である。
【００４４】
符号２５で示された基体部に設けられた収容部２５１の左右端部に形成された側方開口部２５１ａ，２５１ｂは、基体部２５の筒体部２５２側に向かって、斜め下方に切り落とされた形態を備えている。この傾斜した側方開口部２５１ａ，２５１ｂは、庇の役割を発揮し、上方から降り注ぐ雨水を収容部２５１の内側に進入し難くするという役割を発揮する。
【００４５】
なお、上記した基体部２１の収容部２１１の側方開口部２１１ａ，２１１ｂ（主に図２参照）についても、前記基体部２５の側方開口部２５１ａ，２５１ｂ同様の傾斜形状を採用することも可能である。
【００４６】
前記した収容部２５１挿着される非洗浄用挿着具２６は、二つの部材から構成される。具体的には、側方開口部２５１ａ側から挿入される上方視略コの字状の前挿着部２６１（図１０参照）と、側方開口部２５１ｂ側から挿着される上方視略コの字状の後挿着部２６２（図１０参照）と、から構成されている。
【００４７】
前挿着部２６１と後挿着部２６２は、収容部２５１内部で互いの対向面２６１ａ、２６２ａが当接し、上方のタンク１から落下してくる収容物Ｃが通過する一つの通路２６３を形成する。なお、前挿着部２６１と後挿着部２６２は、収容部２５１への挿着性を考慮し、共に可撓性のある合成樹脂によって形成するのが望ましい。
【００４８】
前挿着部２６１の前端部には、板状の閉塞部材２６１ｂ、２６２ｂが、それぞれ前挿着部２６１、後挿着部２６２の開口部に取り付けられている。ここで、閉塞部材２６１ｂ、２６２ｂは、前挿着部２６１、後挿着部２６２がそれぞれ収容部２５１内に挿入された状態のときに、該収容部２５１の下面２５１ｃ（図９参照）よりさらに下方に延設されるように構成される突設部２６１ｃ，２６２ｃを形成している（図９参照）。
【００４９】
この突設部２６１ｃ，２６２ｃは、それぞれ前挿着部２６１、後挿着部２６２を収容部２５１に挿脱する際の取っ手として機能する。取っ手をこのような形態にすることによって、取っ手が収容部２５１の開口部２５１ａから側方に突出しなくなるので、場所をとらず邪魔にならない。また、符号２４７（図７参照）で示すような左右方向に突出する取っ手と異なって、収容部２５１周辺に防水カバー（図示せず）等を装着しやすい。
【００５０】
次に、図１１は、第２変形例である非洗浄用挿着具２７の分解斜視図、図１２は、同非洗浄用挿着具２７が収容部２１１に挿着された状態を示す部分図である。これらの図１１、１２に基づいて、非洗浄用挿着具２７の構成を説明する。
【００５１】
非洗浄用挿着具２７は、上方プレート２７１と、この上方プレート２７１よりもやや小さな外形サイズを備える下方プレート２７２と、から構成され、上方プレート２７１が下方プレート２７２に被さるように嵌め合わされて一体化される基本構成を備える。
【００５２】
まず、上方プレート２７１は、その中央部に所定口径の円形の穴２７１ｄを備える略矩形の天板２７１ａと、この天板２７１ａの四方を囲むように垂下する側壁２７１ｂと、この側壁２７１ｂの一壁面に取り付けられて、側方に突き出した取っ手２７１ｅと、を備える。そして、天板２７１ａの下面側の四隅近傍領域には、後述するボルト当接部（ボルト先端が当たる部分）２７１ｃ，２７１ｃ，２７１ｃ，２７１ｃが設けられている。
【００５３】
一方、下方プレート２７２は、その中央部に、上記穴２７１ｄと略同口径の円形の穴２７２ｄを備える略矩形の底板２７２ａと、この底板２７２ａの四方を囲むように上方側に突設された側壁２７２ｂと、この側壁の一壁面に、底板２７２ｅのよりもさらに垂下するように設けられた矩形状のストッパー板２７２ｇと、を備える。
【００５４】
底板２７２ａには、上方プレート２７１の前記ボルト当接部２７１ｃのそれぞれに相対する位置に、ボルト螺着孔２７２ｃ，２７２ｃ，２７２ｃ，２７２ｃが設けられている。また、各ボルト螺着孔２７２ｃの近傍には、固定ナット２７２ｅ，２７２ｅ，２７２ｅ，２７２ｅが底板２７２ａに取り付けられている。
【００５５】
ここで、図１２を参照しながら、非洗浄用挿着具２７の挿着方法について説明する。
【００５６】
（ア）まず、基体部２１の収容部２１１に下方側から螺着させた各ボルト（蝶ねじ）２８を下方に回し降ろして、収容部内部に各ボルト２８の先端が突出しない状態とする。これは、各ボルトの２８の先端が突き出ていると、これがストッパーとなって非洗浄用挿着具２７を挿着できなくなるとともに、下方プレート２７１の下面に取り付けられたパッキン３１（図１２参照）を傷つけてしまうことになるからである。
【００５７】
（イ）次に、外部において、上方プレート２７１を下方プレート２７２に被せるように嵌め合わせて一体化し、非洗浄用挿着具２７を形成する。このとき、上方プレート２７１の穴２７１ｄを形成する周壁２７１ｆは、下方プレート２７２の穴２７２ｄを形成する周壁２７２ｆの内側に入り込むように着接し（図１２参照）、落下してくるタンク収容物Ｃが通過できる一つの通路を形成する。
【００５８】
（ウ）続いて、一体化されてなる非洗浄用挿着具２７を収容部２１１の側方開口部から、下方プレート２７２のストッパー板２７２ｇが、側方開口部に当接するまで挿入する。
【００５９】
（エ）次に、各ボルト２８を上方側へ回し込み、固定ナット２７２ｅの雌ねじ部に螺挿することによって、下方プレート２７２を下方側（図１２の矢印Ｙ方向）に引き付けて固定する。
【００６０】
（オ）そして、四本の長ボルト２９を下方側から収容部２１１の下面２１１ｄに形成されたボルト螺着孔２１１ｅ及び下方プレート２７２のボルト螺着孔２７２ｃを狙って下方側から螺挿し、更に、上方プレート２７１の天板２７１下面に設けられたボルト当接部２７１ｃにまで螺挿する。これにより、上方プレート２７１を上方側（図１２の矢印Ｚ方向）へ押し上げ、収容部２１１の壁面に押し付ける。
【００６１】
以上の（ア）〜（オ）の作業を計四カ所行うことによって、収容部２１１に非洗浄用挿着具２７を水密に挿着固定することができる。なお、図１２中の符号３０，３１は、気密性又は水密性を確保するためのパッキンを表している。
【００６２】
図１３は、本発明に係る洗浄液排出具２が装備された飼料用のタンク１とタンク１周辺の飼料搬送設備を表す図である。
【００６３】
タンク１は、タンク１に収容又は貯蔵されている飼料１３は、洗浄液排出具２の収容部２１１に上記非洗浄用挿着具２４を挿着することによって、ホッパー３に落下し、搬送用配管４から給餌箇所へ搬送されることになる。
【００６４】
なお、符号９は、飼料搬送のための図示しないドライブユニットが内設された装置、符号１０は、ドライブユニットで駆動する図示しない搬送ワイヤーベルトが内側に敷設されている配管、符号１１は、配管１０に所定間隔で取り付けられる給餌量調整装置１１、符号１２は、飼料落下用管、符号１４は、配管１０の直角コーナーに設けられる搬送ベルト用のディスクゲージ、符号１５は、餌箱である。
【００６５】
洗浄作業を行う場合は、図１３に示されているように、挿着具２２（又は挿着具２３でもよい。）が洗浄液排出具２の収容部２１１に挿着され、洗浄液Ｗは、挿着具２２（又は挿着具２３）、ホース５を通過して、所定の洗浄液槽８に回収される。
【００６６】
以上説明した本発明に係る洗浄液排出具は、上記実施例、変形例の構成に限定されるものでなく、タンク１と該タンク１の下方に配置されるホッパー３の間に手段を問わず介装され、前記タンク１に投入されて流下する洗浄液Ｗを、前記ホッパー３に流出させることなく、確実に外部に排出させることができる構成であればよく、飼料や食品の収容又は貯蔵タンク等の洗浄作業に広く利用できる。
【００６７】
【発明の効果】
本発明に係る洗浄液排出具は、タンクに投入されて流下する洗浄液を、下方のホッパーに流出させることなく確実に外部に排出させることができるため、重量のあるタンクを持ち上げたり、タンクを固定してホッパーを取り外したりする作業が不要となるので、タンク洗浄作業を大幅に簡易化、容易化できる。
【００６８】
また、本発明に係る洗浄液排出具を用いることによって、タンク内壁面を伝わって流下し、挿着具内部に流入してきた洗浄液を、該挿着具内部に滞留することなく、円滑に外部へ流出させることができ、洗浄液の流出状態やタンク内壁面等に付着していた細かな内容物の流出又は滞留状況を目視観察することができる構成も採用することができるので、洗浄作業を円滑に行うことができる。
【００６９】
本発明に係る洗浄液排出具においては、タンク洗浄作業を行わない場合は非洗浄用挿着具を介してタンク収容物の搬送を行い、一方、タンク洗浄作業を行う場合は、都度、非洗浄用挿着具を洗浄用挿着具に交換して、簡易にタンク洗浄作業を行うことが可能となるので大変便利である。
【００７０】
発明に係る洗浄液排出具を、飼料貯蔵用タンクの下方に配設すれば、簡易にタンク洗浄作業を行うことができる結果、タンクのサルモネラ菌等の細菌汚染に十全の対策を施すことができ、鶏卵のサルモネラ菌汚染対策等に有効となる。
【図面の簡単な説明】
【図１】タンク（１）とホッパー（３）の間に介装された本発明に係る洗浄液排出具２の基体部（２１）の周辺を表す外観斜視図
【図２】タンク（１）及びホッパー（３）から取り外した同基体部(２１)の外観斜視図
【図３】本発明に係る洗浄液排出具（２）の構成部材である挿着具（２２）が側方開口部（２１１ａ）に挿脱される様子を示す図
【図４】本発明に係る洗浄液排出具（２）の全体構成を表す縦断面図
【図５】変形例である挿着具（２３）の外観斜視図
【図６】挿着具（２３）が挿着された状態の収容部(２１１)の縦断面図
【図７】非洗浄用挿着具（２４）の外観斜視図
【図８】同非洗浄用挿着具（２４）の縦断面図
【図９】変形例である基体部（２５）並びに該基体部（２５）の収容部（２５１）に挿着された第１変形例である非洗浄用挿着具（２６）を透視して見た側面図
【図１０】同非洗浄用挿着具（２６）の（分解）斜視図
【図１１】第２変形例である非洗浄用挿着具（２７）の分解斜視図
【図１２】同非洗浄用挿着具（２７）が収容部（２１１）に挿着された状態を示す部分図
【図１３】本発明に係る洗浄液排出具（２）が装備された飼料用のタンク（１）及びその周辺の搬送設備（配管１０等）を表す図
【図１４】代表的な従来技術の構成を示す図
【符号の説明】
１  タンク
２  洗浄液排出具
３  ホッパー
１１  タンクの下方周縁部
２１  基体部
２２,２３，２５  （洗浄用の）挿着具
２４，２６，２７  非洗浄用挿着具
３１  ホッパー上方周縁部
２１１ａ，２１１ｂ，２５１ａ，２５１ｂ  側方開口部
２１３  上方連結部
２１４  下方連結部
２１５  筒体
２２１  （挿着具２２の）上面
２２２  （挿着具２２の）下面
２２３  開口部
２３１  （挿着具２３の）上板部
２３２  （挿着具２３の）ホッパー部
２３６  （ホッパー部２３２の）上方開口部
２４８  通路
Ｃ  タンク収容物
Ｗ  洗浄液
【図１】
0004713020.tif 000002
【図２】
0004713020.tif 000003
【図３】
0004713020.tif 000004
【図４】
0004713020.tif 000005
【図５】
0004713020.tif 000006
【図６】
0004713020.tif 000007
【図７】
0004713020.tif 000008
【図８】
0004713020.tif 000009
【図９】
0004713020.tif 000010
【図１０】
0004713020.tif 000011
【図１１】
0004713020.tif 000012
【図１２】
0004713020.tif 000013
【図１３】
0004713020.tif 000014
【図１４】
0004713020.tif 000015